(57)【特許請求の範囲】
【請求項１】
ＣＴ画像を使用して核医学画像の減弱補正を行う核医学イメージング装置であって、
生成する核医学画像と同一位置のＣＴ画像および該ＣＴ画像の前後のＣＴ画像を加重平均したＣＴ画像を用いて減弱マップを作成する減弱マップ作成手段と、
前記減弱マップ作成手段により作成された減弱マップを用いて核医学画像の減弱補正を行う減弱補正手段と
を備えたことを特徴とする核医学イメージング装置。
【請求項２】
前記減弱マップ作成手段がＣＴ画像の加重平均に用いる重みを定義する補正テーブルを作成する補正テーブル作成手段をさらに備えたことを特徴とする請求項１に記載の核医学イメージング装置。
【請求項３】
前記補正テーブル作成手段は、生成する核医学画像と同一位置のＣＴ画像および該ＣＴ画像の前後のＣＴ画像に対して利用者が指定した重みにより加重平均したＣＴ画像を減弱マップ作成用リファレンス画像とともに表示することによって利用者に指定された重みを用いて前記補正テーブルを作成することを特徴とする請求項２に記載の核医学イメージング装置。
【請求項４】
前記補正テーブル作成手段により表示される減弱マップ作成用リファレンス画像は、呼吸同期ＣＴ画像またはトランスミッション画像であることを特徴とする請求項３に記載の核医学イメージング装置。
【請求項５】
前記補正テーブル作成手段は、体型、年齢、男女別に基づいて複数の補正テーブルを作成することを特徴とする請求項２、３または４に記載の核医学イメージング装置。
【請求項６】
前記補正テーブル作成手段は、重みに加えて画像の拡大縮小率および平行移動量を定義する補正テーブルを作成することを特徴とする請求項２〜５のいずれか一つに記載の核医学イメージング装置。
【請求項７】
ＣＴ画像を使用して核医学画像の減弱補正を行う核医学画像作成方法であって、
生成する核医学画像と同一位置のＣＴ画像および該ＣＴ画像の前後のＣＴ画像を加重平均したＣＴ画像を用いて減弱マップを作成する減弱マップ作成ステップと、
前記減弱マップ作成ステップにより作成された減弱マップを用いて核医学画像の減弱補正を行う減弱補正ステップと
を含んだことを特徴とする核医学画像作成方法。
【発明の詳細な説明】
【技術分野】
【０００１】
本発明は、放射性同位元素によって標識された薬剤を投与した被検体から放出されるγ線を検出することにより、被検体内における放射性同位元素の分布を画像化する核医学イメージング装置及び核医学画像作成方法に関する。
【背景技術】
【０００２】
Ｘ線診断装置、ＭＲＩ装置、Ｘ線ＣＴ装置及び核医学イメージング装置などを用いた医用画像診断は、コンピュータ技術の発展に伴って急速な進歩を遂げ、今日の医療において必要不可欠なものとなっている。
【０００３】
上述のＸ線診断装置やＸ線ＣＴ装置は、臓器や腫瘍等の輪郭を描出することによって診断を行う、所謂形態学診断を目的としているのに対し、核医学イメージング装置は、生体組織に選択的に取り込まれた同位元素又はその標識化合物から放射されるγ線を体外から計測し、そのカウント（または数値）分布を画像化することにより被検体に対する機能診断を可能としている。
【０００４】
この核医学イメージング装置として、ガンマカメラ、シングルフォトンエミッションＣＴ装置（ＳＰＥＣＴ装置）、ポジトロンエミッションＣＴ装置（ＰＥＴ装置）等が臨床の場で使用されている（例えば、特許文献１参照）。
【０００５】
ガンマカメラは、被検体内から放出されるγ線を、この被検体に対向させて配置した平面検出器によって測定することにより、この平面検出器に投影された放射性同位元素の分布を２次元画像として表示する装置であり、平面検出器の前面に装着されたコリメータによってγ線の入射方向を特定している。
【０００６】
また、ＳＰＥＣＴ装置は、被検体の周囲でガンマカメラと同様の平面検出器を移動あるいは複数の平面検出器を配置し、この被検体に対し複数の方向から検出したγ線情報に基づきＸ線ＣＴ装置と同様の再構成処理を行って画像データを生成している。
【０００７】
一方、ＰＥＴ装置は、陽電子（ポジトロン）を放出する核種によって標識した薬剤を被検体に投与し、この陽電子が電子と結合し消滅する際に、略反対方向に放出する５１１ｋｅＶの一対のγ線を、例えば、被検体の周囲に配置したリング状の検出器によって検出し、このγ線情報を再構成処理することにより画像データの生成を行っている。
【０００８】
また、Ｘ線ＣＴ装置とＰＥＴ装置を組み合わせることによって、Ｘ線ＣＴ装置で作成される形態画像とＰＥＴ装置で作成される機能画像の融合に適したＰＥＴ／ＣＴ装置も使用されている。
【０００９】
【特許文献１】特開２００７−１０７９９５号公報
【発明の開示】
【発明が解決しようとする課題】
【００１０】
ＰＥＴ装置やＰＥＴ／ＣＴ装置では、被検体内で生じるγ線の減弱を補正する必要がある。図１０は、減弱補正前後でのＰＥＴ画像例を示す図である。同図に示すように、ＰＥＴ画像は減弱補正前後で大きく異なるため、減弱補正は不可欠であるといえる。また、ＳＰＥＣＴ／ＣＴ装置でも同様の問題がある。
【００１１】
減弱補正には、透過スキャンで収集した減弱データを使用する方法とＣＴ画像を使用する方法とがある。ＣＴ画像を使用する減弱補正は、透過スキャンで減弱データを収集する場合と比較して、検査時間が短くなる、減弱マップ値の精度が向上するなどの利点がある。
【００１２】
しかしながら、ＣＴ画像を使用する減弱補正には、呼吸により位置が変わる横隔膜周辺など動きのある部位では、ＳＵＶ(Standardized  Uptake  Value)値が大きく変動するという問題がある。
【００１３】
この発明は、上述した従来技術による問題点を解消するためになされたものであり、横隔膜周辺など動きのある部位の減弱補正を精度良く行うことができる核医学イメージング装置および核医学画像作成方法を提供することを目的とする。
【課題を解決するための手段】
【００１４】
上述した課題を解決し、目的を達成するため、請求項１記載の本発明は、ＣＴ画像を使用して核医学画像の減弱補正を行う核医学イメージング装置であって、生成する核医学画像と同一位置のＣＴ画像および該ＣＴ画像の前後のＣＴ画像を加重平均したＣＴ画像を用いて減弱マップを作成する減弱マップ作成手段と、前記減弱マップ作成手段により作成された減弱マップを用いて核医学画像の減弱補正を行う減弱補正手段とを備えたことを特徴とする。
【００１５】
また、請求項７記載の本発明は、ＣＴ画像を使用して核医学画像の減弱補正を行う核医学画像作成方法であって、生成する核医学画像と同一位置のＣＴ画像および該ＣＴ画像の前後のＣＴ画像を加重平均したＣＴ画像を用いて減弱マップを作成する減弱マップ作成ステップと、前記減弱マップ作成ステップにより作成された減弱マップを用いて核医学画像の減弱補正を行う減弱補正ステップとを含んだことを特徴とする。
【発明の効果】
【００１６】
請求項１または７記載の本発明によれば、横隔膜付近など動きのある部位の核医学画像のＳＵＶ値の精度を向上することができる。
【発明を実施するための最良の形態】
【００１７】
以下に添付図面を参照して、この発明に係る核医学イメージング装置および核医学画像作成方法の好適な実施例を詳細に説明する。なお、本実施例では、本発明をＰＥＴ／ＣＴ装置に適用した場合を中心に説明する。また、本実施例では、横隔膜近辺のＰＥＴ画像を減弱補正する場合を中心に説明する。
【実施例】
【００１８】
まず、本実施例に係るＰＥＴ／ＣＴ装置の構成について説明する。図１は、本実施例に係るＰＥＴ／ＣＴ装置の構成を説明するための説明図である。同図に示すように、このＰＥＴ／ＣＴ装置は、ＰＥＴスキャナ１と、ＣＴスキャナ２と、寝台３と、データ処理装置４と、表示装置５とを有する。また、このＰＥＴ／ＣＴ装置は、図１では省略されているが、ユーザがＰＥＴ／ＣＴ装置への指示を入力するためのボタン、キーボードなどを有する。
【００１９】
ＰＥＴスキャナ１は、患者の診断部位から逐次放射される１対のγ線をリング状のデータ検出部に設けられた複数の検出器モジュールを用いて所定のモニタリング期間にて検出し、得られたγ線のカウント値に基づく投影データを検出器モジュールにおけるγ線検出位置及びγ線入射方向に対応させて生成する装置である。
【００２０】
ＣＴスキャナ２は、Ｘ線を発生するＸ線発生装置とＸ線を検出する検出器を備え、Ｘ線発生装置により発生したＸ線を患者に照射し、患者を透過したＸ線を検出器により検出して投影データを生成する装置である。
【００２１】
寝台３は、患者を載せるベッドである。データ処理装置４は、ＰＥＴスキャナ１およびＣＴスキャナ２によってそれぞれ生成された投影データを処理してＰＥＴ画像およびＣＴ画像を生成し、表示装置５に表示する装置である。
【００２２】
図２は、データ処理装置４の構成を示す機能ブロック図である。同図に示すように、このデータ処理装置４は、ＣＴ画像記憶部４１と、補正テーブル作成部４２と、補正テーブル記憶部４３と、補正処理部４４と、入力受付部４５と、ＰＥＴ画像記憶部４６とを有する。
【００２３】
ＣＴ画像記憶部４１は、ＣＴスキャナ２によって生成された投影データから作成されたＣＴ画像を記憶する記憶部である。このＣＴ画像記憶部４１は、後述する補正テーブル作成用のＣＴ画像として様々な患者の横隔膜付近の呼吸同期ＣＴ画像と非同期ＣＴ画像を記憶するとともに、ＰＥＴ画像の減弱補正用として患者の横隔膜付近の非同期ＣＴ画像を記憶する。
【００２４】
補正テーブル作成部４２は、補正処理部４４が減弱補正を行う際に用いる減弱マップを作成するための重みを定義する補正テーブルを作成する処理部であり、比較画像表示部４２１と、テーブル作成部４２２とを有する。
【００２５】
比較画像表示部４２１は、減弱マップを作成するための重みを定義する重み定義処理を行う処理部である。図３は、横隔膜を対象として比較画像表示部４２１による重み定義処理を説明するための説明図である。
【００２６】
同図（ａ）に示すように、比較画像表示部４２１は、全身ＣＴコロナル画像上にて、横隔膜の位置にカーソルを設定して表示する。また、その位置の呼吸同期ＣＴ画像をリファレンス画像として表示する。ここで、呼吸同期ＣＴ画像とは、呼吸による横隔膜の動きが少ない画像である。そして、比較画像表示部４２１は、同図（ｂ）に示すように、カーソルの位置を中心とした前後ＮスライスのＣＴ画像を表示する。なお、Ｎはユーザが指定可能な数であり、この例ではＮ＝３である。リファレンスは呼吸同期ＣＴの同期したスライスを全て加算したものを用いる。
【００２７】
そして、ユーザが各スライスのＣＴ画像の重みを指定すると、比較画像表示部４２１は、ユーザが指定した重みで各スライスのＣＴ画像を加重平均した加重平均ＣＴ画像を作成して表示する。ここで、ユーザは、加重平均ＣＴ画像がリファレンス画像に近くなるように重みを指定する。この例では、３スライスのＣＴ画像に対してユーザは「１：２：１」の重みを指定している。
【００２８】
このように、比較画像表示部４２１が、カーソルの位置を中心とした前後ＮスライスのＣＴ画像およびこれらのＣＴ画像をユーザの指定する重みで加重平均したＣＴ画像を表示することによって、ユーザはリファレンス画像に最も近いＣＴ画像を得るための重みを定義することができる。なお、ユーザによる重みの定義は、横隔膜のスライスに対してだけでなく、横隔膜の前後のＭスライスに対して行われる。ここで、Ｍはユーザが指定する数である。また、ユーザによる重みの定義は、患者の体型、年齢、男女別に基づいて複数に分類される。
【００２９】
また、ここでは、リファレンス画像として呼吸同期ＣＴ画像を用いることとしたが、呼吸同期ＣＴ画像の代わりにトランスミッション画像を用いることもできる。また、ここでは、リファレンス画像と最も近い加重平均ＣＴ画像をユーザに選択させることとしたが、比較画像表示部４２１が、リファレンス画像と最も近い加重平均ＣＴ画像を特定するようにすることもできる。
【００３０】
図４は、比較画像表示部４２１が、リファレンス画像と最も近い加重平均ＣＴ画像を特定する方法を説明するための説明図である。同図に示すように、リファレンス画像と加重平均ＣＴ画像の同一箇所にＲＯＩ(Region  of  Interest)を取り、ＲＯＩ内の画素値を比較してリファレンス画像と最も近い加重平均ＣＴ画像を特定することができる。
【００３１】
ただし、リファレンス画像がトランスミッション画像である場合には、画素値の絶対値では比較することができないので、ＲＯＩ内の１つの画素値を基準として相対値で画素値を比較する。あるいは、ユーザの選択と合わせてリファレンス画像と最も近い加重平均ＣＴ画像を特定するようにすることもできる。また、画素値の比較結果を表示してユーザに選択させるようにすることもできる。
【００３２】
図２に戻って、テーブル作成部４２２は、比較画像表示部４２１による重み定義処理によって定義された重みを用いて補正テーブルを作成し、補正テーブル記憶部４３に書き込む処理部である。
【００３３】
補正テーブル記憶部４３は、テーブル作成部４２２によって作成された補正テーブルを記憶する記憶部である。この補正テーブル記憶部４３は、Ｍスライス分の重みを定義した補正テーブルを患者の体型、年齢、男女別などに基づいて複数個記憶する。
【００３４】
図５は、補正テーブル記憶部４３が記憶する補正テーブルの一例を示す図である。同図に示すように、この補正テーブルは、患者の体型、年齢、男女別を示すラベルと、重みを定義するテーブルの数（Ｍ）を示すテーブル数と、加重平均に用いるＣＴ画像の数を示すフレーム数（Ｎ）と、各スライスの重みを定義する。
【００３５】
図５の補正テーブルは、２０歳から２４歳までの肥満の男子の重みを定義したものであり、３つのテーブルが定義され、加重平均に用いるＣＴ画像の数は５であり、各スライスに対して５個の重みが定義される。また、図５において、「スライス２」がカーソル位置（横隔膜の位置）のスライスを中心とする補正テーブルであり、「スライス１」がカーソル位置より１つ前のスライスを中心とする補正テーブルであり、「スライス３」がカーソル位置より１つ後のスライスを中心とする補正テーブルである。
【００３６】
なお、ここでは、補正テーブルに重みだけを定義することとしたが、部位によってはＣＴ画像を拡大・縮小や平行移動して加重平均を取った方が適切な場合もあり、補正テーブルに拡大縮小率や平行移動量を定義するようにすることもできる。
【００３７】
補正処理部４４は、補正テーブル記憶部４３が記憶する補正テーブルを用いてＰＥＴ画像の減弱補正を行う処理部であり、確認画像表示部４４１と、加重平均処理部４４２と、減弱マップ作成部４４３と、再構成部４４４とを有する。
【００３８】
確認画像表示部４４１は、減弱補正に関して、ユーザに確認用の画像を表示する処理部である。図６は、確認画像表示部４４１が表示する画像を説明するための説明図である。同図に示すように、この確認画像表示部４４１は、全身ＣＴコロナル画像上にて、横隔膜の位置にカーソル位置を設定して表示する。また、ＰＥＴコロナル画像（減弱補正なし）に対しても、同一位置にカーソルを設定して表示する。さらに、横隔膜位置のＣＴ画像とＰＥＴ画像を表示する。なお、この確認画像表示部４４１は、図６に示す画像の他に、補正テーブルに定義された重みを用いて加重平均されたＣＴ画像、減弱補正後のＰＥＴ画像も表示する。
【００３９】
加重平均処理部４４２は、補正テーブル記憶部４３が記憶する補正テーブルを用いてＣＴ画像の加重平均を取る処理部である。図７は、加重平均処理部４４２がＣＴ画像の加重平均に用いる重みの分布を示す図であり、ピーク値（中心スライス）と加重範囲を示している。加重平均処理部４４２は、スライス方向に対して、スライス毎に加重平均を取る枚数と重みを変えた平滑化処理を行うが、図７に示すように、横隔膜の位置では動きが大きいため広い範囲の（枚数の多い）ＣＴ画像を用いつつ重みの広がりの多い平滑化処理を行い、横隔膜から離れるにしたがって動きが小さくなるため狭い範囲の（枚数の少ない）ＣＴ画像を用いつつ重みの広がりの少ない平滑化処理を行う。
【００４０】
また、この加重平均処理部４４２は、加重平均を取ったＣＴ画像を加重平均前のＣＴ画像とともに確認画像表示部４４１に表示させる。ユーザは、加重平均前後のＣＴ画像を比較することによって、補正による影響を確認することができる。
【００４１】
減弱マップ作成部４４３は、加重平均処理部４４２により作成された加重平均ＣＴ画像を用いて減弱マップを作成する処理部である。この減弱マップ作成部４４３が加重平均ＣＴ画像を用いて減弱マップを作成することによって、呼吸の影響を受ける横隔膜付近など動きの大きい部位のＰＥＴ画像についてＳＵＶ値の精度を向上させることができる。
【００４２】
再構成部４４４は、減弱マップ作成部４４３により作成された減弱マップを用いてＰＥＴ画像の減弱補正を行う処理部である。また、この再構成部４４４は、減弱補正前後のＰＥＴ画像を確認画像表示部４４１に表示させる。
【００４３】
入力受付部４５は、ボタン、キーボードなどを用いたユーザの指示を受け付け、受け付けた指示を補正テーブル作成部４２または補正処理部４４に通知する処理部である。ユーザの指示としては、補正テーブル作成指示、重み指示、減弱補正実行指示などがある。
【００４４】
ＰＥＴ画像記憶部４６は、ＰＥＴ画像を記憶する記憶部であり、減弱補正前のＰＥＴ画像および減弱補正後のＰＥＴ画像を記憶する。
【００４５】
次に、補正テーブル作成部４２による補正テーブル作成処理の処理手順について説明する。図８は、補正テーブル作成部４２による補正テーブル作成処理の処理手順を示すフローチャートである。なお、ここでは、一つのスライス位置について補正テーブルを作成する場合について説明する。
【００４６】
図８に示すように、この補正テーブル作成処理では、補正テーブル作成部４２は、呼吸による臓器移動の少ない部分にて、呼気同期ＣＴ画像とＰＥＴ／ＣＴ装置のＣＴ画像との位置合わせを行う（ステップＳ１１）。なお、位置ずれがない場合には、この処理は不要である。
【００４７】
そして、比較画像表示部４２１が、全身ＣＴコロナル画像上にて、横隔膜位置にカーソルを設定して表示し（ステップＳ１２）、横隔膜位置の呼気同期ＣＴ画像をリファレンス画像として表示する（ステップＳ１３）。また、比較画像表示部４２１は、横隔膜位置を中心として前後ＮスライスのＣＴ画像を表示する（ステップＳ１４）。
【００４８】
そして、ユーザが各スライスのＣＴ画像の重みを指定すると、比較画像表示部４２１は、ユーザが指定した重みを受け付け（ステップＳ１５）、受け付けた重みを用いてＣＴ画像を加重平均し、加重平均ＣＴ画像を表示する（ステップＳ１６）。
【００４９】
そして、ユーザがリファレンス画像と最も近い加重平均ＣＴ画像を指定すると、テーブル作成部４２２が補正テーブルを作成し（ステップＳ１７）、補正テーブル記憶部４３に書き込む。
【００５０】
このように、補正テーブル作成部４２がリファレンス画像と加重平均ＣＴ画像を表示してユーザにＣＴ画像の重みを指定させることによって、横隔膜を中心とするＣＴ画像の重みを定義する補正テーブルを作成することができる。
【００５１】
次に、補正処理部４４によるＰＥＴ画像補正処理の処理手順について説明する。図９は、補正処理部４４によるＰＥＴ画像補正処理の処理手順を示すフローチャートである。図９に示すように、このＰＥＴ画像補正処理では、確認画像表示部４４１が、全身ＣＴコロナル画像上にて、横隔膜位置にカーソルを設定して表示し（ステップＳ２１）、ＰＥＴコロナル画像に対しても同一位置にカーソルを設定して表示する（ステップＳ２２）。また、この位置のＣＴ画像とＰＥＴ画像を表示する。
【００５２】
そして、加重平均処理部４４２が補正テーブルを用いて加重平均ＣＴ画像を作成し（ステップＳ２３）、確認画像表示部４４１が加重平均前後のＣＴ画像を表示する（ステップＳ２４）。そして、加重平均前後のＣＴ画像により補正による影響をユーザに確認させた後、減弱マップ作成部４４３が加重平均ＣＴ画像を用いて減弱マップを作成する（ステップＳ２５）。そして、再構成部４４４が減弱マップを用いてＰＥＴ画像を減弱補正し（ステップＳ２６）、確認画像表示部４４１が減弱補正前後のＰＥＴ画像を表示する（ステップＳ２７）。
【００５３】
このように、補正処理部４４が、補正テーブルに定義された重みで加重平均したＣＴ画像を用いて減弱補正を行うことによって、横隔膜近辺のＰＥＴ画像のＳＵＶ値の精度を向上させることができる。なお、確認画像表示部４４１が、減弱補正前後のＰＥＴ画像に加えて減弱補正前後のＳＵＶ値を表示するようにすることもできる。
【００５４】
上述してきたように、本実施例では、ユーザが横隔膜近辺の各ＣＴ画像に対して加重平均ＣＴ画像がリファレンス画像に近くなるように指定した重みに基づいて補正テーブル作成部４２のテーブル作成部４２２が補正テーブルを作成する。そして、補正処理部４４の加重平均処理部４４２が補正テーブルに定義された重みを用いて横隔膜近辺のＣＴ画像を加重平均し、減弱マップ作成部４４３が加重平均ＣＴ画像を用いて減弱マップを作成し、再構成部４４４が減弱マップを用いてＰＥＴ画像を減弱補正する。したがって、呼吸による横隔膜の移動の影響をなくしてＰＥＴ画像の減弱補正を行うことができ、横隔膜近辺のＰＥＴ画像のＳＵＶ値の精度を向上させることができる。
【００５５】
なお、本実施例では、横隔膜近辺のＰＥＴ画像を減弱補正する場合について説明したが、本発明はこれに限定されるものではなく、呼吸などにより臓器が移動する部位のＰＥＴ画像を減弱補正する場合に同様に適用することができる。
【００５６】
また、本実施例では、ＰＥＴ／ＣＴ装置について説明したが、本発明はこれに限定されるものではなく、減弱補正にＣＴ画像を用いるＰＥＴ装置にも同様に適用することができる。また、ＳＰＥＣＴ／ＣＴ装置および減弱補正にＣＴ画像を用いるＳＰＥＣＴ装置にも適用することができる。
【産業上の利用可能性】
【００５７】
また、本実施例では、減弱補正を行う場合について説明した。しかし、ＰＥＴ装置やＳＰＥＣＴ装置では、ＣＴ画像と機能画像を融合させるときに、呼吸等の影響で臓器の位置がずれた場合に同一スライス位置のＣＴ画像と機能画像がミスマッチをおこす。このようにＣＴ画像と機能画像がミスマッチをおこす場合にも、前後のＣＴ画像を加重平均したＣＴ画像を用いることによって、臓器の移動による影響を小さくすることができる。
【００５８】
以上のように、本発明は、ＣＴ画像を減弱補正に用いるＰＥＴ／ＣＴ装置、ＰＥＴ装置、ＳＰＥＣＴ／ＣＴ装置、ＳＰＥＣＴ装置などに有用であり、特に、臓器が移動する部位のＰＥＴ画像やＳＰＥＣＴ画像の減弱補正に適している。
【図面の簡単な説明】
【００５９】
【図１】本実施例に係るＰＥＴ／ＣＴ装置の構成を説明するための説明図である。
【図２】データ処理装置の構成を示す機能ブロック図である。
【図３】横隔膜を対象として比較画像表示部による重み定義処理を説明するための説明図である。
【図４】比較画像表示部が、リファレンス画像と最も近い加重平均ＣＴ画像を特定する方法を説明するための説明図である。
【図５】補正テーブル記憶部が記憶する補正テーブルの一例を示す図である。
【図６】確認画像表示部が表示する画像を説明するための説明図である。
【図７】加重平均処理部がＣＴ画像の加重平均に用いる重みの分布を示す図である。
【図８】補正テーブル作成部による補正テーブル作成処理の処理手順を示すフローチャートである。
【図９】補正処理部によるＰＥＴ画像補正処理の処理手順を示すフローチャートである。
【図１０】減弱補正前後でのＰＥＴ画像例を示す図である。
【符号の説明】
【００６０】
１    ＰＥＴスキャナ
２    ＣＴスキャナ
３    寝台
４    データ処理装置
５    表示装置
４１    ＣＴ画像記憶部
４２    補正テーブル作成部
４３    補正テーブル記憶部
４４    補正処理部
４５    入力受付部
４６    ＰＥＴ画像記憶部
４２１    比較画像表示部
４２２    テーブル作成部
４４１    確認画像表示部
４４２    加重平均処理部
４４３    減弱マップ作成部
４４４    再構成部
【図１】
0004966119.tif 000002
【図２】
0004966119.tif 000003
【図３】
0004966119.tif 000004
【図４】
0004966119.tif 000005
【図５】
0004966119.tif 000006
【図６】
0004966119.tif 000007
【図７】
0004966119.tif 000008
【図８】
0004966119.tif 000009
【図９】
0004966119.tif 000010
【図１０】
0004966119.tif 000011